(57)【要約】【課題】商品搬出コラム情報と商品属性情報との関係を表示するように構成した自動販売機であって、コラムチェンジ作業の能率低下、データ更新の際の設定ミスによる誤表示等の問題を生じない自動販売機を提供する。【解決手段】商品識別情報と商品搬出コラム識別情報との関係を記憶する第１記憶手段と、商品識別情報と商品属性情報との関係を記憶する第２記憶手段と、表示手段と、第１記憶手段に記憶された情報と第２記憶手段に記憶された情報とに基づき、商品搬出コラム情報と商品属性情報との関係を表示手段に表示する制御手段とを備える。【選択図】  図１
2005043946.tif 000002
【特許請求の範囲】
【請求項１】
商品識別情報と商品搬出コラム識別情報との関係を記憶する第１記憶手段と、商品識別情報と商品属性情報との関係を記憶する第２記憶手段と、表示手段と、第１記憶手段に記憶された情報と第２記憶手段に記憶された情報とに基づき、商品搬出コラム情報と商品属性情報との関係を表示手段に表示する制御手段とを備えることを特徴とする自動販売機。
【請求項２】
表示手段は画像表示手段であることを特徴とする請求項１に記載の自動販売機。
【請求項３】
表示手段は音声表示手段であることを特徴とする請求項１に記載の自動販売機。
【請求項４】
表示手段は触覚で認識可能な表示手段であることを特徴とする請求項１に記載の自動販売機。
【請求項５】
第１記憶手段の記憶を更新する入力手段を備えることを特徴とする請求項１乃至４の何れか１項に記載の自動販売機。
【請求項６】
第１記憶手段の記憶の更新は、通信センターに配設されたプログラマブルコントローラからの通信により行われることを特徴とする請求項１乃至４の何れか１項に記載の自動販売機。
【請求項７】
第１記憶手段の記憶の更新は、外部接続機器により行われることを特徴とする請求項１乃至４の何れか１項に記載の自動販売機。
【発明の詳細な説明】
【０００１】
【発明の属する技術分野】
本発明は、自動販売機に関するものである。
【０００２】
【従来の技術】
商品搬出コラム情報と商品画像等の商品属性情報との関係を液晶表示器等に表示するように構成した自動販売機が特許文献１等に開示されている。
【０００３】
【特許文献１】特開平１０−１４３７４４号公報
【０００４】
【発明が解決しようとする課題】
従来の自動販売機においては、記憶手段が記憶した商品搬出コラム情報と商品属性情報との関係データに基づいて、当該関係を液晶表示器等に表示していた。売れ筋商品の変動に対応すべく、特定商品と当該商品を収納するコラム数との関係を変更するコラムチェンジが高い頻度で行われる。コラムチェンジを行う際には、商品搬出コラム情報と商品属性情報との関係データを書き換える必要がある。従来の自動販売機においては、コラムチェンジを行う度毎に、商品搬出コラム情報と商品属性情報との新たな関係データをオペレータが記憶手段に記憶させていた。商品属性情報は一般に複雑な情報なので、コラムチェンジ作業の能率低下、データ更新の際の設定ミスによる誤表示等の問題が生じていた。
本発明は上記問題に鑑みてなされたものであり、商品搬出コラム情報と商品属性情報との関係を表示するように構成した自動販売機であって、コラムチェンジ作業の能率低下、データ更新の際の設定ミスによる誤表示等の問題を生じない自動販売機を提供することを目的とする。
【０００５】
【課題を解決するための手段】
上記課題を解決するために、本発明においては、商品識別情報と商品搬出コラム識別情報との関係を記憶する第１記憶手段と、商品識別情報と商品属性情報との関係を記憶する第２記憶手段と、表示手段と、第１記憶手段に記憶された情報と第２記憶手段に記憶された情報とに基づき、商品搬出コラム情報と商品属性情報との関係を表示手段に表示する制御手段とを備えることを特徴とする自動販売機を提供する。
本発明に係る自動販売機においては、オペレータは、コラムチェンジの際に、第１記憶手段に記憶されたデータのみを書き換えれば良い。第１記憶手段に記憶されたデータは、商品属性情報を含まないので、当該データの書き換えはコラムチェンジ作業の能率低下、データ更新の際の設定ミスによる誤表示等の問題を招かない。
【０００６】
本発明の好ましい態様においては、表示手段は画像表示手段である。
本発明の好ましい態様においては、表示手段は音声表示手段である。
本発明の好ましい態様においては、表示手段は触覚で認識可能な表示手段である。
表示手段は、画像表示手段でも良く、音声表示手段でも良く、或いは触覚で認識可能な表示手段でも良い。
【０００７】
本発明の好ましい態様においては、自動販売機は、第１記憶手段の記憶を更新する入力手段を備える。
自動販売機が、第１記憶手段の記憶を更新する入力手段を備えていれば、オペレータは入力手段を携行する必要がないので、オペレータの負荷が軽減する。
【０００８】
本発明の好ましい態様においては、第１記憶手段の記憶の更新は、通信センターに配設されたプログラマブルコントローラからの通信により行われる。
本発明の好ましい態様においては、第１記憶手段の記憶の更新は、外部接続機器により行われる。
第１記憶手段の記憶の更新は、オンライン回線を介する通信によって行っても良く、可搬の記憶媒体や入力装置等を自動販売機に接続して行っても良い。
【０００９】
【発明の実施の形態】
本発明の実施例に係る自動販売機を説明する。
図１に示すように、本発明の実施例に係る自動販売機は、本体１を備えている。本体１の正面パネル１ａに、液晶表示器から成る複数のサンプル表示部２、売切ランプ３、商品選択釦４が配設されている。正面パネル１ａには更に、投入金額表示部５、金銭投入口６ａ、６ｂ、釣銭返却口７、商品取出口８が配設されている。
【００１０】
図２に示すように、本発明の実施例に係る自動販売機は、主制御装置９と、金銭投入口６ａ、６ｂから投入された金銭の種別、真贋等を識別し、真正金銭を受領し、偽金銭や釣銭を釣銭返却口７へ搬出する金銭処理装置１０と、商品を収納すると共に商品選択釦４により選択された商品を商品取出口８へ搬出する複数の商品搬出コラム１１とを備えている。金銭処理装置１０と主制御装置９との間で双方向の情報授受が行われ、商品選択釦４から商品選択信号が主制御装置９へ入力される。主制御装置９から、投入金額表示部５、商品搬出装置１１、サンプル表示部２、売切ランプ３へ制御信号が出力される。
【００１１】
主制御装置９は図示しないＣＰＵとＲＯＭとＲＡＭとを備えている。ＲＯＭには自動販売機の制御プログラムが格納され、ＲＡＭには、商品識別情報と商品搬出コラム識別情報との関係、より具体的には商品搬出コラム番号と収納商品番号との関係を示す第１テーブルと、商品識別情報と商品画像、商品名、商品仕様等の商品属性情報との関係を示す第２テーブルとが格納されている。
【００１２】
本実施例に係る自動販売機の作動を説明する。
主制御装置９は、ＲＡＭから第１テーブルと第２テーブルとを読み出し、第１テーブルの情報と第２テーブルの情報とに基づいて、商品搬出コラム番号と収納商品の商品属性情報との関係を把握し、当該関係をサンプル表示部２に表示する。具体的には、サンプル表示部２に、直下の商品選択釦４を押すと購入できる商品の画像、商品名、商品仕様等を表示する。
商品購入者が金銭投入口６ａ及び／又は６ｂに金銭を投入すると、金銭処理装置１０が投入された金銭の処理を行う。真正金銭であれば、金銭処理装置１０から金銭処理信号を受信した主制御装置９は、投入金額を投入金額表示部５に表示する。商品購入者が所望の商品に見合う額の金銭を投入後、サンプル表示部２の商品画像を見ながら、商品選択釦４を押して所望の商品を選択すると、商品選択信号を受信した主制御装置９は、商品搬出コラム１１を介して選択された商品を商品取口８まで搬出する。釣銭がある場合には、主制御装置９は、金銭処理装置１０を介して釣銭返却口７へ釣銭を返却する。
【００１３】
コラムチェンジに際して、オペレータは、前面バネル１ａの裏面に予め着脱可能に取り付けられた入力装置を用いて、ＲＡＭに記憶された第１テーブルを書き換える。主制御装置９は、ＲＡＭから更新された第１テーブルと第２テーブルとを読み出し、更新された第１テーブルの情報と第２テーブルの情報とに基づいて、サンプル表示部２に、直下の商品選択釦４を押すと購入できる商品の画像、商品名、商品仕様等を表示する。
【００１４】
本実施例に係る自動販売機においては、オペレータは、コラムチェンジの際に、ＲＡＭに記憶された第１テーブルのみを書き換えれば良い。第１テーブルは、商品属性情報を含まないので、第１テーブルの書き換えはコラムチェンジ作業の能率低下、データ更新の際の設定ミスによる誤表示等の問題を招かない。
本実施例に係る自動販売機は、第１テーブルを更新する入力装置を備えているので、オペレータは入力手段を携行する必要がない。この結果、オペレータの負荷が軽減する。
【００１５】
サンプル表示部２に、直下の商品選択釦４を押すと購入できる商品の画像、商品名、商品仕様等を表示するのに代えて、商品選択釦４と当該商品選択釦４を押すと購入できる商品の商品名、商品仕様等との関係を音声表示しても良く、前記関係を点字等により触覚で認識できるように表示しても良い。
【００１６】
第１テーブルの書き替えを、通信センターに配設されたプログラマブルコントローラがオンライン回線を介する通信により自動的に行っても良く、オペレータが可搬の入力装置を主制御装置９に接続して手動で行っても良く、或いはオペレータが可搬の記憶媒体を主制御装置９に接続して半自動的に行っても良い。
【００１７】
新商品を販売する場合には、第２テーブルを書き替える必要がある。第２テーブルの書き換えは、自動販売機設置業者の通信センターに配設されたプログラマブルコントローラがオンライン回線を介する通信により自動的に行っても良く、オペレータが可搬の入力装置を主制御装置９に接続して手動で行っても良く、或いはオペーレータが可搬の記憶媒体を主制御装置９に接続して半自動的に行っても良い。
【００１８】
【発明の効果】
本発明に係る自動販売機においては、オペレータは、コラムチェンジの際に、第１記憶手段に記憶されたデータのみを書き換えれば良い。第１記憶手段に記憶されたデータは、商品属性情報を含まないので、当該データの書き換えはコラムチェンジ作業の能率低下、データ更新の際の設定ミスによる誤表示等の問題を招かない。
【図面の簡単な説明】
【図１】本発明の実施例に係る自動販売機の外観斜視図である。
【図２】本発明の実施例に係る自動販売機の制御回路図である。
【符号の説明】
１  自動販売機本体
２  サンプル表示部
４  商品選択釦
５  投入金額表示部
６ａ、６ｂ  金銭投入口
７  釣銭返却釦
８  商品取出口
９  主制御装置
１０  金銭処理装置
１１  商品搬出コラム
【図１】
2005043946.tif 000003
【図２】
2005043946.tif 000004